Podtech/llm-jp-corpus-v4-ja_patent huggingface dataset:
(57)【要約】【課題】この発明は、便座の幅を、使用する者の体形に合せて調整し、安心て座り用をたせるようにした便座を提供する。【解決手段】スイッチパネルで、選択した指示によりモーターが作動し、幅を変えることができる便座である。【選択図】図１
2009011791.tif 000002
【特許請求の範囲】
【請求項１】
電動で幅を変え、大人も小児などもそれぞれの体形に合せ安心して楽に座れ、使用できるようにしたトイレの便座。
【発明の詳細な説明】
【技術分野】
【０００１】  この発明は、電動で便座の幅を移動させ、体形の違うどんな使用者のお尻の大きさにも合せられ、安心して利用出来るようにした便座である。
【背景技術】
【０００２】  従来の便座は、幅が固定されていて、利用者の体形とは関係なく使しなければならず、特に小児などがトイレの便座に座るとき、便座に小児用補助便座を被せ、その上に座って用をたしていた。
【発明が解決しようとする課題】
【０００３】  そのため、次のような問題があった．
（イ）補助便座は、便器に固定されている場合と別に作られたものを上から被せるものとが有るが、大きさが固定されているのと、後者は本体にしっかりと合わないで不安定である。また、掃除にも不便である。
本発明は、それらの問題点を解決したものである。
【課題を解決するための手段】
【０００４】  便座の左右の幅を、モーターにより広げたり狭めたり調整し、使用者のお尻の大小にあわせる。モーターの制御装置に登録しておけば、複数の使用者別にワンタッチで幅をセットできる。
【発明の効果】
【０００５】  したがって、家庭や事務所などで特定の者が使用する場合、それぞれの個別の幅で、安全に安心して快適に使用することが出来、不特定多数が利用する場合でも、自らの幅にセットして利用できる。
【発明を実施するための最良の形態】
【０００６】  以下、本発明の実施形態について説明する。
（イ）便座の左（１）と右（２）を、モーター（３）に、ネジ左（５）とネジ右（６）でつなぐ。
モーターの回転で（１）と（２）が接近したり離れたりするよう、（５）と（６）の一方を逆ネジとする。
（ロ）便座の先端部（４）は、（１）と（２）の動きに絶えられる樹脂をもちえる。
（ハ）モーター（３）は、電源に制御装置を兼ねたスイッチパネルを介して接続される。
本発明は、以上の構成からなる、幅を変更できる便座である。
以下、使用法について説明する。
便座に座る際、自らの体形に合せ、便座の幅を制御盤で指示して、調整する。特定者で使用する場合は、使用者の氏名を登録しておくなどで簡単にセットできる。デパートなどで不特定多数が使用する場合は、大、中、小、幼児などの数段階に調整できるようあらかじめセットしておく。掃除、は従来の便座と同じであり、簡単で衛生的である。
【図面の簡単な説明】
【０００７】
【図１】  本発明の平面図
【図２】  本発明の使用説明図
【符号の説明】
【０００８】  １は便座左
２は便座右
３はモーター
４は便座先端部
５はネジ左
６はネジ右
【図１】
2009011791.tif 000003
【手続補正書】
【提出日】平成19年9月14日(2007.9.14)
【手続補正３】
【補正対象書類名】明細書
【補正対象項目名】０００７
【補正方法】変更
【補正の内容】
【０００７】
【図１】  本発明の平面図
(57)【要約】【課題】銅鋲を利用し、機能性を高めた健康器具を提供する。【解決手段】長方形の木製の基台に、表面は半円形状にし、大きさの違う二種類の銅鋲を大・小交互に等間隔に打ち込む。基台の両端各二か所に、指の入る大きさのくり貫き穴を設け、穴には紐を通し、それぞれが輪になるように結び付ける。基台の底面両端に滑り止めのゴムテープを貼ったのを特徴とする健康器具である。【選択図】図１
2009011794.tif 000002
【特許請求の範囲】
【請求項１】
長方形の木製の基台に、表面は半円形状にし、大きさの違う二種類の銅製鋲を大・小交互に等間隔に打ち込み、基台の両端各二か所に、指の入る大きさのくり貫き穴を設け、穴には紐を通し、それぞれが輪になるように結び付け、基台の底面両端に、滑り止めのゴムテープを貼ったのを特徴とする健康器具。
【発明の詳細な説明】
【技術分野】
【０００１】  本発明は、木製の基台に、銅製鋲を打ち込んだ健康器具に関するものである
【背景技術】
【０００２】  従来、健康器具類は、肩凝り、足裏刺激などと局部的な改善を目的とした専用の製品がほとんどである。
【発明の開示】
【発明が解決しようとする課題】
【０００３】  そのため、肩凝り用の器具（例えば特許文献１参照）、足裏用の器具（例えば特許文献２）など局部を専門に利用する器具が多く、一人で何種類もの健康器具を用意して使用している。
【特許文献１】  特許公開２００１−１８７１０９
【特許文献２】  特許公開２００３−６７３  一つの器具で、いろいろな機能を発揮できる器具が、健康に関心をもつ人に望まれていた。
本発明は、これらの問題点を解決するためになされたものである。
【発明の開示】
【課題を解決するための手段】
【０００４】  長方形の木製の基台に、表面は半円形状にし、大きさの違う二種類の銅製鋲を大・小交互に等間隔に打ち込み、基台の両端各二か所に、指の入る大きさのくり貫き抜き穴を設る。穴には紐を通し、それぞれが輪になるように結び付ける。基台の底面両端に滑り止めのゴムテープを貼ったのを特徴とする健康器具である。
【発明の効果】
【０００５】  本発明の器具は▲１▼摩る▲２▼揉む▲３▼押さえる▲４▼叩く▲５▼前後に捏ねる▲６▼足踏みなど多くの機能を利用し、身体全体を対象に体調の改善を目指すものである。
【発明を実施するための最良の形態】
【０００６】  以下、本発明の実施の形態について説明する。
イ  長方形の木製の基台１は、表面を半円形状にする。
ロ  基台１の表面に、二種類の銅製鋲２を、大・小交互に等間隔に打ち込む。
ハ  基台１の両端各二か所に、指の入るくり貫き穴３をあける。
ニ  くり貫き穴３には、紐４を通し、それぞれが輪になるように結び付ける。
ホ  基台１の底面両端に、滑り止めのゴムテープ５をつける。
本発明は、以上のような構成で、
器具は、くり貫き穴３に指をいれ、持ち運びが便利なようにした。
使用するときは、まず両端の穴３に指を入れ、器具を保持しながら、表面に配列した銅鋲の突起を身体の表面に当て、肌表面を摩るように使ったり、適当に揉む動作、圧迫する力を加えたりしながら、心地よい刺激を与えられるように工夫した。さらに両端の紐４を、左右の手で握って、器具を背中に回し、力を加減しながら、背中から首筋、さらに腰へとマッサージすることもできる。
床や畳みの上に置いた器具の上に足を乗せ、歩行動作による足踏み運動や、足裏を摩るように刺激することもできる。また、脚を曲げた膝の内側に器具を挟み、腰を落とすような姿勢で、ふくらはぎにも心地よい刺激を与え、血行を促進る方法など、いろいろな使用方法ができる全身用の健康器具である。
また、使用法の一つとして、器具の表面の銅鋲をストーブなどで、いったん暖めた後、使用すれば、温熱効果も発揮することのできる健康器具として利用することができる。
【図面の簡単な説明】
【０００７】
【図１】  本発明の斜視図
【図２】  本発明の底面図
【図３】  本発明の側面図と銅鋲の正面図
【符号の説明】
【０００８】１  基台
２  銅鋲
３  くり貫き穴
４  紐
５  ゴムテープ
【図１】
2009011794.tif 000003
【図２】
2009011794.tif 000004
【図３】
2009011794.tif 000005
(57)【要約】【課題】    液体飲料を乳児に飲ませる手間がかからず、直接飲ませると服を汚すこともあるが、服を汚すこともない、乳首を提供する。【解決手段】  乳首（1）の下部につかみ手（3）を設け、乳首（1）の内部に突出部（2）を設け、液体飲料用容器本体の口部のひっかかりまで引き被せ装着、液体飲料用容器本体に直接装着することを特徴とする。【選択図】    図1
2009011799.tif 000002
【特許請求の範囲】
【請求項１】
液体飲料用容器本体に着脱自在に取り付ける乳首であって、前記容器本体の開口部の外径よりも小さな内径を有する内ツバが設けられていることを特徴とする乳首。
【請求項２】
前記内ツバは環状を呈していることを特徴とする請求項１記載の乳首。
【請求項３】
前記内ツバは内側に凹凸が形成されていることを特徴とする請求項１記載の乳首。
【発明の詳細な説明】
【技術分野】
【０００１】
この発明は、液体飲料など乳児に直ぐ飲ませる乳首に関するものである。
年輩者、病人などの人で、飲む力の弱い人の口を湿らすときにも使用できるものである。
【背景技術】
【０００２】
今日まで、乳児に液体飲料を飲ませるのに、哺乳瓶などに移し変えなければならない不便さがあった。
【発明の開示】
【発明が解決しようとする課題】
【０００３】
これは次のような欠点があった。
長時間の外出するとき哺乳瓶を1つだけでは足りなかった、出先で洗浄する所を探さなければならないわずらわしい欠点があった。
本発明は、以上のような欠点をなくすためになされたものである。
【課題を解決するための手段】
【０００４】
乳首の内側に被装着容器本体の開口部外径より小さな内径を有する内ツバを設けることを特徴とする。
【発明の効果】
【０００５】
本発明の乳首は内ツバを設けたことにより、市販の飲料用容本体に直接装着しても、内ツバにより飲料用容器本体との密着度を高めることができるので飲料液がこぼれない。従って市販の飲料用容器にも適時、使用できるものである。
【０００６】
従来の哺乳瓶の乳首の場合は、乳首開口部のみで密着させていたが本発明の乳首は、内ツバと二重に密着させるため、液体のこぼれを防止する効果がある。
【発明を実施するための最良の形態】
【０００７】
図１は本発明の乳首の縦断面図を示し、乳首１の飲料用容器本体の開口部に装着する部分の内側に内ツバ２を設けている。乳首の開口端部につかみ手３を突出させている。図面ではこのつかみ手３は、ほぼ水平に突出させているが、斜、又は垂直に下方向のつかみ手にしてもよい。
【０００８】
図２は図１のＡ−Ａ断面図を示し、内ツバの形状を複数の凹凸を設けた場合を例示したものである。
【０００９】
図3は図1のＡ−Ａ断面図を示し、内ツバの形状を円形に形成した場合を例示したものである。
【００１０】
使用方法は液体飲料用容器の開口部に乳首１の下部を被せつかみ手３を引き、内ツバ2が液体飲料用容器本体の開口部のひっかかりまで引き被せ装着すると、上記の内ツバは図2、図3いずれの場合も液体飲料容器本体に乳首を装着した時液体飲料用容器本体の開口部周面に密着し、飲料液がこぼれない。従って市販の液体飲料用容器にも適時使用できるものである
【００１１】
図3は、市販の乳酸菌飲料用容器に装着した場合を例示したものを示し、図4は他の容器に使用した場合を例示したものである。
【図面の簡単な説明】
【００１２】
【図１】本発明の縦断面図である。
【図２】本発明のＡ−Ａ断面図の内ツバの形状が複数の凹凸図である。
【図３】本発明のＡ−A断面図の内ツバの形状が円形図である。
【図４】乳酸菌飲料用容器に本発明の乳首を装着した図である
【図５】他の飲料用容器に装着した実施例を示した図である。
【符号の説明】
【００１３】
・  乳首
・  内ツバ
・  つかみ手
・  孔
・  液体飲料用容器
【図１】
2009011799.tif 000003
【図２】
2009011799.tif 000004
【図３】
2009011799.tif 000005
【図４】
2009011799.tif 000006
【図５】
2009011799.tif 000007
(57)【要約】      （修正有）【課題】従来、目尻、額等顔面内の乳液マッサージ、パック等を行う際には、指により皮膚のしわをのばしながら行われているが、この方法では片手がふさがってしまうとともに、作業時間が短くなり十分な効果が得られがたかったので、従来のしわ伸ばしにプラスシャラッキーをして、しわ伸ばしに使用します。【解決手段】指でしわをばして、そのしわをよけて、上からシャラッキーを置きます。その効果はしわがのびた状態で、乳液マッサージやパックマッサージによりしわをのばした状態で、しわのばしに使えます。柔らかいプラスチック素材又は厚紙をコの字型に折り曲げ、その両端に楕円形の接着面を接続したものであり、接着面は皮膚に優しい両面テープ等皮膚に直に貼り付けることが出来る接着剤を使用する。【選択図】図１
2009011797.tif 000002
【特許請求の範囲】
【請求項１】
目尻、額等顔面内のしわをのばしながら、乳液マッサージを行う際に用いるしわのばしを行う補助器具
【請求項２】
目尻、額等顔面内のしわをのばしながら、パック等を行う際に用いるしわのばしを行う補助器具
【請求項３】
目尻、額等顔面内のしわをのばしを行う器具
【請求項４】
化粧水を塗りこむ際に用いる器具
【発明の詳細な説明】
【技術分野】
【０００１】本発明は顔面内のしわをのばす美容作業のための補助器具に関する。
【発明の開示】
【発明が解決しようとする課題】
【０００２】従来目尻、額等顔面内のしわをのばしながら、乳液マッサージ、パック等を行う際は、指によりしわをのばして行っていた。
片手がふさがってしまうとともに、作業時間が短くなり十分な効果が得られ難かった。
【課題を解決するための手段】
【０００３】目尻、額等顔面内のしわをのばしながら、乳液マッサージを行う際に用いるしわのばしを行う補助器具【０００４】目尻、額等顔面内のしわをのばしながら、パック等を行う際に用いるしわのばしを行う補助器具【０００５】目尻、額等顔面内のしわをのばしを行う器具【０００６】化粧水を塗りこむ際に用いる器具
【発明の効果】
【０００７】しわの内部まで乳液や化粧水の成分が十分浸透し、かつ、ひきのばし効果でしわが減少する。
【発明を実施するための最良の形態】
【０００８】しわを片手で伸ばし、その状態で本発明品を貼り付ける。
【実施例】
【０００９】指でしわを伸ばしその上からシャラッキーを貼り付ける。
2009011797.tif 000003
【００１０】指でしわを伸ばししわをよけてその上からのせる。
2009011797.tif 000004
【産業上の利用可能性】
【００１１】エステサロン等で利用が可能である。
【図面の簡単な説明】
【００１２】
【図１】「シャラッキーを示した平面図である。」
【図２】「シャラッキーを示した断面図である。」
【符号の説明】
【００１３】１．▲１▼〜▲１７▼の中で両面テープを使えるものは使う
２．▲１▼〜▲１７▼の中で両面テープを使わなくてよいものは使わない
【図１】
2009011797.tif 000005
【図２】
2009011797.tif 000006
(57)【要約】【課題】脱水箱内の溝に嵌める縦回転するベルトがプロペラの下を通るため衣類乾燥時衣類がプロペラにひっかかってベルトが回転しない。【解決手段】脱水箱２に何本かの縦溝を設けて中の１本を回転軸４の位置を通し各各の溝にチェーンを固着したベルトを嵌め回転軸の位置を通ったベルトに１個の穴を設け中間盤１３に設けた穴と合わせて中間盤の端とベルトを固着し、中間盤にプロペラを回転自由に結合させ、洗濯時、脱水時は回転軸４でベルト及び中間盤１３を貫通させてプロペラにひっかけ結合させ乾燥時は回転軸をプロペラから引く事によりひっかけ結合が外れて中間盤及びベルトの穴から回転軸を抜き取ってベルトを回転させて温風を脱水箱内に送る。【選択図】図１
2009011798.tif 000002
【特許請求の範囲】
【請求項１】
洗濯機の脱水箱（２）の中を回わるベルト（１）を何本か脱水箱に溝を設けて嵌め、某ベルトに１個穴を設けベルトにギアがひっかかる手段を設け、中間盤（１３）の穴とベルトの穴を重ね中間盤の端とベルトを固着し中間盤とプロペラを回転自由に結合させ必要時ベルトと中間盤を回転軸（４）で貫通させてプロペラと回転軸を結合し乾燥時回転軸がプロペラ（５）及び中間盤（１３）及びベルト（１）の穴から外れる事を特徴としたベルト式脱水乾燥洗濯機。
【請求項２】
ベルト（１）に横ゆれするが縦ゆれしないひっかかり（１５）を設ける事を特徴としたベルト式脱水乾燥洗濯機。
【発明の詳細な説明】
【技術分野】
【０００１】洗濯機の脱水箱に何本かの溝を設けて溝にチェーンを固着したベルトを嵌め。
ベルトの１本をプロペラを回転させる回転軸の位置を通り、ベルトに１個所穴を設けて穴に中間盤１３の穴と合わせて中間盤の端とベルトを固着し、中間盤１３とプロペラ５を回転自由に結合させ、回転軸４がベルト及び中間盤を貫通させてプロペラと着脱ひっかけし乾燥時回転軸がプロペラから外れて中間盤の穴及びベルトの穴から引き抜かれてベルトを回転させながら乾燥する。
【背景技術】
【０００２】自動脱水乾燥洗濯機はあった
【発明開示】
【発明が解決しようとする課題】
【０００３】ベルトを縦回転させる、プロペラを洗濯底の真中に使いたい、衣類乾燥させる時プロペラが邪魔にならないようにする。
【課題を解決するための手段】
【０００４】脱水箱２に縦回転用の溝を何本か設け溝にベルトに横ゆれするが縦ゆれしないひっかかりを固着したものを嵌め回転軸４の位置を通るベルトに１個所穴を設けて中間盤１３の穴と合わせて中間盤の端をベルトに固着する。中間盤１３とプロペラを回転自由に結合させ、モータからの回転力をプロペラに伝える回転軸４でベルトと中間盤を貫通させてプロペラとひっかかって結合し、回転軸４を引っ張るとプロペラとひっかかりが外れて回転軸が外れそして中間盤の穴とベルトの穴から回転軸が引き抜かれてベルトが回転する
【０００５】ベルトにチェーンを結合させチェーンに噛み合うギア７、１６に連通するギアと中間ギア１７を噛み合わせ中間ギア１７と基ギア８を噛み合わせ、プロペラ５及びベルト及び脱水箱２の各各に連通する回転軸に同等のギア２０、１９、１８を設けてモータ９からの各各のギアと脱水の時は噛み合わせるがそれ以外の時は各各のギアとギアを離す。洗濯の時はモータ１０に連結するギア２１とギア２０を噛み合わせ乾燥の時はギア２２とギア２３を噛み合わせそしてギア２３とギア２４を噛み合わせる。
【発明の効果】
【０００６】洗濯は渦巻流がよごれが１番落ちるそして乾燥は衣類を縦回転させながら温風を入れる事により乾きの効率が１番良い。
【発明を実施するための最良の形態】
【０００７】脱水箱に縦回転用の溝を３本設け、真中の溝は回転軸４の位置を通り、溝にチェーンを結合したベルトを嵌め、ベルトは脱水箱の上部にも溝を設けて嵌める。真中のベルトに１個所穴を設けてベルトの穴と中間盤の穴を合わせて中間盤の端をベルトに固着する。中間盤１３にプロペラ５を回転自由に結合させる。モータ９に連通する回転軸４でベルト及び中間盤を貫通させてプロペラ５とひっかけ結合させる。回転軸を引くとプロペラとひっかけ結合が外れて回転軸がプロペラから外れてベルトの穴及び中間盤の穴から引き抜いてベルトが回転出来る事により中間盤も回転する事により衣類が回転しながら乾燥する。【０００８】回転軸４の先端に２個所の凸部の電気伝導体を設けプロペラの電気伝導体２７に接っすると電気が通ってスイッチを切ってモータ１０を止めてベルトの回転を止める。
【実施例】
【０００９】ベルトにひっかかり１５を点在させて固着させる。ひっかかりは横に曲がるが縦に曲がらない構造とする要するに付け根の所を薄く作る。出来ればプロペラを小さくした方が良い脱水箱のコーナを曲がる時ひっかかるので中間盤を設ける事によりベルトよりプロペラを浮かせる事が出来る。
【産業上の利用分野】
【００１０】自動脱水乾乾燥洗濯機。
【図面の簡単な説明】
【００１１】
【図１】ベルト式脱水乾燥洗濯機の全体図。
【符号の説明】
【００１２】ベルト          １
脱水箱          ２、１２
外箱            ３
回転軸          ４
プロペラ        ５
固着部          ６、１４
ギア            ７、８、１７、１９、２０、２１、２２、２４、１８、１６
モータ          ９、１０
止め栓          １１
ひっかかり      １５
凸部            ２５、２６
中間盤          １３
【図１】
2009011798.tif 000003
(57)【要約】【課題】  靴を履用した時、窮屈感が無く、各指は自由に床を掴んで歩くことができ外反母趾、各指の変形、歩行姿勢を矯正する靴の中敷を提供する。【解決手段】  本発明は、靴の中敷に鼻緒を設けたことにより、従来履くことができなかったサイズの大きい靴も心地よく履用することが出来、靴の締め付けによる弊害も無くなる。また、鼻緒の位置に体重を移して歩行することによりＯ脚も矯正でき、きれいな姿勢で歩行することができる。【選択図】図３
2009011796.tif 000002
【特許請求の範囲】
【請求項１】
鼻緒を備えた靴の中敷と靴本体に鼻緒を固定する止め具を設け簡単に取り付け取り外しの出来る靴の鼻緒付中敷。
【発明の詳細な説明】
【技術分野】
【０００１】  本発明は履用する靴の中敷と歩行と健康に関する。
【背景技術】
【０００２】  従来の健康靴には靴底に突起を施し足裏のツボを押圧するもの、磁気で刺激を与えるもの、又は靴本体に鼻緒を取り付けた靴等がある。
【特許文献１】  特開２００３−１４４２０４
【特許文献２】  特開２０００−２８７７１１
【発明の開示】
【発明が解決しようとする課題】
【０００５】  しかし、以上に述べた従来の靴では外反母趾、足指の変形等の障害の治療にはあまり効果が無く、また履き心地に難点があった。【０００６】  本発明は、このような従来の構成が有していた問題を解決すると共に正しい歩行を習熟させることを目的とするものである。
【課題を解決するための手段】
【０００７】  そして、本発明は上記目的を達成するために鼻緒を備えた靴の中敷と、靴とを組み合わせたものである。【０００８】  また、第２の課題解決手段は中敷の鼻緒紐を靴の紐通し穴に簡単に取り付け、取り外しを可能に構成にしたものである。【０００９】  上記第１の課題解決手段による作用は次の通りである。すなわち、サイズの大きい靴に予め履用する人の指先が靴の中で自由に動かせるように調整した鼻緒付中敷を挿入し、親指と人差指の間に鼻緒を挟むことにより足が前に出過ないようにしたものである。【００１０】  また、第２の課題解決による作用は、上記、靴内において足指が自由に動かせ、且つ足が靴に心地よくフイットするように鼻緒紐を靴本体に取り付け調節が出来るようにしたものである。
【発明の効果】
【００１１】    上述したように本発明の鼻緒付靴の中敷を使用することにより、靴本体で指先を締付けられることが無くなり、指の変形、外反母趾等、従来の靴を履用したことによる弊害から身体を守ることが出来る。【００１２】  また、親指と人差し指との間で鼻緒を挟むと、自然と鼻緒の位置が気になる。そこで、その位置まで体重を移動させ、肛門を閉め、ボデーアップして真直ぐ、つま先だけ２本線で歩行するとＯ脚も矯正される。【００１３】  中敷が簡単に交換できるため素足で履用することが出来る。
【発明の実施するための最良の形態】
【００１４】  以下、本発明の実施の形態を図１〜図３に基づいて説明する。
【００１５】  １図においては、１は靴の中敷本体で，鼻緒２、鼻緒紐２Ｂである。
２図においては、２Ａは鼻緒の裏面継止位置である。
３図は４の靴本体に図面１の鼻緒付中敷を挿入した側面図である、
３図によって説明すると、２の鼻緒と６の靴先の間隔を指先が自由に動かせるように予め中敷を調整して装着する。２Ｂを靴の紐穴から取り出し，７の靴踵が足に心地よくフイットするように２Ｂの紐で調節し、３の止具、又は２Ｂの紐で結び固定させる。
【図面の簡単な説明】
【００１６】
【図１】  本発明の鼻緒付靴の中敷の前面平面図
【図２】  本発明の鼻緒付靴の中敷の底裏面図
【図３】  本発明の鼻緒付中敷を靴本体に装着した側面図
【符号の説明】
【００１８】  １    靴の中敷
２    鼻緒
２Ａ  鼻緒継止位置
２Ｂ  鼻緒紐
３    鼻緒止め具
４    靴
５    靴底
６    靴先
７    靴踵
【図１】
2009011796.tif 000003
【図２】
2009011796.tif 000004
【図３】
2009011796.tif 000005
(57)【要約】【目的】食器洗い中、食器が破損しての、手のケガを防ぐ事ができる。又  大量の食器を連続して洗う事ができる。底の深いワイングラス等も簡単に洗う事ができる。【構成】１、２の本体に３、のスポンジを貼り、４、の液注入口より洗剤を入れ、５、６の液出口より洗剤を出し、３、のスホンジに洗剤を浸透させ、１、２の左右本体を手で軽く押さえ、７の食器（コップ）にスポンジが密着させると、８の切り込み部が底に添って曲がり、食器を軽く回せば食器（コップ）を簡単に洗う事ができる。尚  ３のスポンジは、他の材料でも可である【選択図】図２
2009011793.tif 000002
【特許請求の範囲】
【請求項１】
この食器洗いは、食器のひび割れにきづかず、洗っていると食器が割れて手を切ってしまう事があるので、これを防止する為と、洗剤が自動的に出てくる仕組みになっているので、食器を大量に洗う時には、非常に便利な食器洗いである。
又  底の深いワイングラスの中も洗うことができる。
【発明の詳細な説明】
【発明の詳細な説明】
【産業上の利用分野】
【０００１】この食器洗いは大量に食器を洗う時に、洗剤を度々つける必要がないので、非常に便利である。
又  ヒビ割れガラスの食器による、手のケガを防ぐ事ができる。
又  底の深いワイングラスの中を、洗う時も便利である。
【背景技術】
【０００２】従来の食器洗いは、スポンジやブラシ等で、洗剤を何回もつけて洗っているので、非常に不便で手間がかかっていた。
底の深いワイングラスの中を洗うには、長い棒についたスポンジなどで洗っていたので作業が大変であった。
又  ヒビ割れたコップなどでは、指をきることもあった。
【発明が解決しようとする課題】
【０００３】１、２、の左右の本体に、３、のスポンジを張り合わせ、４、の液注入口より洗剤を入れ、３のスポンジに洗剤を染み込ませ、手で１、２、の左右本体を押さえ付けると、８の切り込み部が底に添って曲がり、器に密着して軽く器を回すだけで、簡単に洗うことができる。
又  キズのあるコップが割れても、手にケガをしないので便利である。
【課題を解決するための手段】
【０００４】１、２、の左右の本体と、３のスポンジを張り合わせ、１、２、の左右本体を押さえると８の切り込み部が底に添って曲がり、器に密着するので器を軽く回すだけで、簡単に底も洗う事ができる。
又  底の深いワイングラスも、簡単に洗うことができる。
【作用】
【０００５】この食器洗いを使うと、洗っている最中にキズのあるコップや、器の破損から手を護る事ができ、大量に洗う時は液を何回もつける必要がなく、大量の器を洗うことができる利点がある。
底の深いワイングラスも簡単に洗う事ができる。
【発明の効果】
【０００６】食器洗い中に食器の破損によっての手のケガの防止と、液を何回もつけずに大量の食器を洗う事ができ。
又  ワイングラスの用な、底の深いグラスも簡単に洗う事できる。
【図面の簡単な説明】
【図１】  食器洗いの全体図
【図２】  コップを洗う時の図
【符号の説明】
１−本体右
２−本体左
３−スポンジ
４−液注入口
５−左液出口−
６−右液出口
７−コップ
８−切り込み部
【図１】
2009011793.tif 000003
【図２】
2009011793.tif 000004
(57)【要約】【課題】  自動車内で、天井に係合させ固定しているティッシュケースに、ティッシュ箱を収納し、ティッシュペーパーを取り出すとき、指で下に引くだけで、簡単に取り出す事ができる、ティッシュケースを提供する。【解決手段】  ティッシュケース（１）の裏面に面ファスナー（２）を貼り付けたティッシュケースを特徴とする。【選択図】図１
2009011775.tif 000002
【特許請求の範囲】
【請求項１】
ティッシュケース（１）の裏面に面ファスナー（２）を取り付けたティッシュケース。
【発明の詳細な説明】
【技術分野】
【０００１】  この発明は、自動車内の天井または、係合できる場所に、ティッシュケースを係合するもので、ティッシュケースの裏面に面ファスナーを貼り付けた、逆さにして使用できるティッシュケースに関するものである。
【背景技術】
【０００２】  従来、自動車内の助手席、後部座席、ダッシュボードの上、ボックスの中にティッシュ箱を置いたり、運転席、助手席の背もたれを利用して、紐付きティッシュケースを吊るしたり、また、運転席、助手席の裏側収納入り口部を利用して、フック付きティッシュケースを引っ掛けていた。
【発明の開示】
【発明が解決しようとする課題】
【０００３】  これは、次のような欠点があった。
（イ）自動車内のダッシュボードの上に、ティッシュケースを置くと、運転中に移動する。
（ロ）自動車内のダッシュボードの中に入れると、ティッシュペーパーが取り難い。
（ハ）自動車内の助手席にティッシュ箱を置くと、取るとき目が前方から離れ、危険である。
（ニ）自動車内の運転席、助手席の背もたれの裏側にティッシュケースを吊るしたり、挟んだりすると、後部座席に座るとき、狭くなり足で引っ掛けたりする。
（ホ）助手席、後部座席に人が座る際、ティッシュケース、ティッシュ箱が置いてあると邪魔になる。
【課題を解決するための手段】
【０００４】  ティッシュケース（１）の裏面に面ファスナー（２）を貼り付けたものである。
本発明は、以上の構成よりなるティッシュケースである。
【発明の効果】
【０００５】（イ）自動車内の天井のどの場所にもティッシュケースを係合することができる。
（ロ）ティッシュケースを一番取りやすい所に係合させ固定すれば、見ないでもスムーズにティッシュペーパーを取り出すことができる。
（ハ）ティッシュケースを自動車内の天井に逆さに係合させ使用すると、ティッシュペーパーの最後の一枚までスムーズに取り出せる。
【発明を実施するための最良の形態】
【０００６】  以下、本発明を実施するための最良の形態について説明する。
（イ）樹脂系のティッシュケース（１）の裏面に面ファスナー（２）を貼り付け、そのティッシュケース内にティッシュ箱を収納する。
（ロ）ティッシュ箱が落下したり、横にずれたりしないように、それぞれ、落下防止部（３）、横ずれ防止部（４）を設けた。
本発明は、以上のような構造である。
これを使用するときは、
（イ）ティッシュケースの側面を持って、自動車内の天井に強く押し係合させ、固定する。
（ロ）ティッシュ箱を収納する場合は、（６）の方向から入れる。
（ハ）ティッシュ箱を取り出す場合は、（５）の部分に指を入れて、下に引き、（６）の方向に移動し、取り出す。
【図面の簡単な説明】
【０００７】
【図１】  本発明の斜視図である。
【図２】  本発明の斜視図である。
【図３】  本発明の斜視図である。
【符号の説明】
【０００８】  １  ティッシュケース
２  面ファスナー
３  落下防止部
４  横ずれ防止部
５  ティッシュ箱取り出し部
６  ティッシュ箱出し入れ方向
７  ティッシュ箱
８  ティッシュペーパー
【図１】
2009011775.tif 000003
【図２】
2009011775.tif 000004
【図３】
2009011775.tif 000005
(57)【要約】【課題】  泡立て器の内側も確実に洗浄できるように、分割構造にした泡立て器を提供する。【解決手段】  泡立て部に幾層にも交差する部材構成が無く、単純形状であることと、本体軸を中心に２分割できる構造であることから、泡立て部の内側に手を入れることが可能になるため、外側と同等に内側の容易な洗浄性と清潔な状態を確保できることを特徴とする泡立て器。【選択図】図１
2009011778.tif 000002
【特許請求の範囲】
【請求項１】
板金を並行する細長い縞目状に打ち抜き、先端をスプーン形状に曲げ加工した泡立て部に把握部を取り付け、二つ合わせることを特徴とした泡立て器。
【発明の詳細な説明】
【技術分野】
【０００１】  本発明は、内側も確実に洗浄できるように、分割構造にした泡立て器に関するものである。
【背景技術】
【０００２】  従来の泡立て器の大半は、数本から十数本のワイヤーをＵ字形状に曲げて泡立て部先端を交差させ、全てのワイヤー両端を把握部に束ねて固定する様式である。
【発明の開示】
【発明が解決しようとする課題】
【０００３】  そのために、次のような問題点があった。
（イ）充分な泡立てが可能な泡立て器は、ワイヤーの本数が多いために隣り合う各ワイヤー間隔が狭く、洗浄時に指や洗浄器具を挿入しにくく、内側は不充分な洗浄となった。
（ロ）ワイヤーが幾層にも交差する、泡立て部先端の洗浄は更に困難で、付着物の除去確認も難しい構造であった。
本発明は以上の問題点を解決しようとするものである。
【課題を解決するための手段】
【０００４】  板金を並行する細長い縞目状に打ち抜き、先端をスプーン形状に曲げ加工した泡立て部に把握部を取り付け、二つ合わせて使用する。以上を特徴とする泡立て器である。
【発明の効果】
【０００５】  本発明は、泡立て部に幾層にも交差する部材構成が無く、単純形状の弾性に富む板金成型による構成で、スプリングフックを外すと本体軸を中心に２分割できる構造であることから、泡立て部の内側にも手を入れることが可能になるため、泡立て部の外側および内側全体の容易な洗浄性と清潔な状態を確保できる。
【発明を実施するための最良の形態】
【０００６】  以下、本発明の実施の形態を説明する。
（イ）板金を並行する細長い縞目状に打ち抜き、先端をスプーン形状に曲げ加工した泡立    て部（１）に把握部（３）を取り付けたものと、泡立て部（１）と同様に打ち抜きと    曲げ加工した泡立て部（２）に把握部（４）を取り付けたもので１対とする。
（ロ）それぞれの把握部に、掛け外しヒンジ（５）と掛け外しヒンジ受け（６）を取り付    ける。掛け外しヒンジ（５）は、ヒンジ軸に直交する細い突出したピンを打ち込んだ    もので、掛け外しヒンジ受け（６）には、掛け外しヒンジのピンが通過できる切り込    みを入れる。切り込み形状は、ヒンジ挿入口を上とした場合に逆Ｌ字形で、挿入方向    の切り込み幅は、ヒンジ挿入角度の範囲を決定付ける。ヒンジ挿入角度の範囲は、把    握部（４）に対して把握部（３）が反時計回り方向に直交する状態から使用状態方向    に５５°回転した範囲までとし、挿入後にそれ以上回転して使用状態角度に至ると、    抜け止め状態を充分確保する。
（ハ）把握部（４）の端に、把握部（３）との回転止め用のスプリングフック（７）を設    ける。
（ニ）把握部（４）の端に、吊下げフック（８）を取り付ける。
本発明は以上のような構成で成り立っている。
本発明を洗浄するときは、上記の泡立て器のスプリングフック（７）を、吊下げフック（８）方向に指で引き、把握部（３）と把握部（４）の回転止め状態を解除する。
そして、把握部（４）に対して、把握部（３）を反時計回りに回転すると、掛け外しヒンジ（５）が掛け外しヒンジ受け（６）から外れて、泡立て部（１）および把握部（３）と、泡立て部（２）および把握部（４）をそれぞれを分離できるので、容易な洗浄性と清潔な状態を確保できる。
【図面の簡単な説明】
【０００７】
【図１】本発明の斜視図
【図２】本発明の一部を切り欠いた分解斜視図
【図３】掛け外しヒンジと掛け外しヒンジ受けの詳細図
【図４】本発明の使用状態を示す斜視図
【図５】本発明の洗浄状態を示す斜視図
【符号の説明】
【０００８】    １  泡立て部
２  泡立て部
３  把握部
４  把握部
５  掛け外しヒンジ
６  掛け外しヒンジ受け
７  スプリングフック
８  吊下げフック
【図１】
2009011778.tif 000003
【図２】
2009011778.tif 000004
【図３】
2009011778.tif 000005
【図４】
2009011778.tif 000006
【図５】
2009011778.tif 000007
(57)【要約】【課題】  学習の際、勉強の解説や計算、書取りなどを直接机の表面に書き込めるように、机表面をホワイトボード加工した学習机を提供する【解決手段】  学習机の表面の全部または一部をホワイトボードとし、ボードマーカーで書き込み、ボードイレーザーで消去することができるようにした机表面を特徴とする。【選択図】図１
2009011764.tif 000002
【特許請求の範囲】
【請求項１】
机表面をホワイトボードに加工した書き込み可能な学習机。
【発明の詳細な説明】
【技術分野】
【０００１】この発明は、机の表面にホワイトボード加工を施し、ボードマーカーで書き込み可能とした学習机に関するものである。
【背景技術】
【０００２】従来、学習机の表面は、教科書、参考書、ノートなどを置いて学習するために木製、金属製、プラスチック製などの材質で作られていた。
【発明の開示】
【発明が解決しようとする課題】
【０００３】家庭教師や親が子供と一つの机で一緒に勉強をする場合、次のような不便な点があった。
従来、子供に問題解説をする場合、机上にノートや計算用紙を広げ、文字、数式や図式の書き込みをして解説していた。Ａ４版やＢ５版のノートや半紙では書き込み可能な面積も狭く、書いては消す事を繰り返す事が多い問題解説では困ることが多かった。また問題演習を多くおこなう受験生などは使用する紙が大量であった。
本発明は、以上の欠点をなくすためになされたものである。
【課題を解決するための手段】
【０００４】学習机の机上の全部又は一部にホワイトボード加工を施す。
本発明は、以上の構成よりなるホワイトボードつき学習机である。
【発明の効果】
【０００５】学習机の机上面がホワイトボードとなっているため、ボードマーカーを用いて文字、数式、図形などを直接机に書き込むことが出来る。またボードイレーザーを用いて消去が簡単に行える。通常１００ｍｍ×６００ｍｍ程度ある学習机の机上面積は鉛筆やペンでノートや半紙に解説する場合と比較して十分な板書スペースを確保できる。ボードは着脱も可能であり、取り外せば従前の勉強机として使用可能である。ホワイトボードは書き込んだ文字や図形の消去が容易であるため、記入面を何度も更新可能でありノートや半紙など大量の紙を使用する場合と比較して森林資源の保全といった環境対策の一環としても有用と考えられる。
【発明を実施するための最良の形態】
【０００６】以下、本発明を実施するための最良の形態について説明する。
一般的な学習机の机上面の全部又は一部にホワイトボード（色は白に限らない）を貼り付ける。
本発明は、以上の様な構造である。
これを使用するときは、通常の学習机と同様に机上で教科書、参考書、ノートなどを置いて使用し、解説、計算や書取りなど、板書が必要になった場合は、ボードマーカーを用いて机上面に直接書き込みを行う。不必要となった文字や図形はボードイレーザーを用いて消去する。
【図面の簡単な説明】
【０００７】
【図１】本発明の斜視図である。
【符号の説明】
【０００８】１  学習机
２  ホワイトボード
【図１】
2009011764.tif 000003
(57)【要約】【課題】  書棚が２列平行して収納されることで、長手面の両側から書籍を取り出して使える本棚に新しい類型を提供する。【解決手段】  ２列の棚板（２）、（３）を側板（１）に対して段違いに配置することで、互いの棚板の小口面（５）が背板の役割を果たす（図４参照）。これにより、光、視線、空気を遮る背板を排除でき、本自体が間仕切りの要素になる（図１１参照）。また背板がないために、棚板を曲線でカットするだけで平面的に本棚全体が曲線を描くことも容易にできる（図７参照）。【選択図】図４
2009011762.tif 000002
【特許請求の範囲】
【請求項１】
側板と棚板を具備する、長手面に対して両側から書籍を取り出して使える本棚において、側板に対して縦２列の棚板が複数段、左右段違いとなるように配置されることで、互いの棚板の小口面が反対側の棚板に収納される書籍の背板の役割を果たすことを特徴とする本棚である。
【請求項２】
上記の側板に対して縦２列の棚板において、平面的に見て数センチずつ重なり合わせることで、収納される書籍が互いに触れ合わないようにするとともに、必要に応じて鉄棒などの補強をいれるスペースを確保することを特徴とする請求項１記載の本棚。
【発明の詳細な説明】
【技術分野】
【０００１】  本発明は、書棚が２列平行して収納されることで、長手面の両側から書籍を取り出して使える本棚の棚板の構造に関する。
【背景技術】
【０００２】  本棚の一つの段に、背表紙が逆を向くように書籍を二列並べることによって、長手面に対して前後両側から書籍を取り出して使える本棚には、図８〜図１０（いずれも短手方向断面図）に示すような方法が一般的に用いられている。【０００３】  段違い本棚としては、実用新案登録第３０８５１６０号のように棚板を段違いとする案もあるが、これは片側使用の本棚を前提としており、その目的も収納量の増加と背後の書籍の背表紙の視認性を向上させるためで、本発明とは根本的に異なる。
【発明の開示】
【発明が解決しようとする課題】
【０００４】  長手面の両側が利用可能な本棚の類型が、図８〜図１０にあたるような方法しかない。【０００５】  従来の長手面の両側が利用可能な本棚（図８〜図１０）は、両側の棚の間に互いの本がぶつかり合わないよう、また本の前面が揃うように垂直の背板（７）（８）もしくはそれに準ずる部材（９）をもつ必要があった。しかし間仕切りとしても使われる機会の多い、長手面の両側が利用可能な本棚だが、背板が存在すると視線や光や空気を遮ってしまう。これが、必要以上に本棚に威圧感をあたえている（図１１参照）。【０００６】  背板の替わりに棒材を水平方向にわたしたり（９）、背板に穴を空けるなどの方法もあるが、背板にあたる部材を棚板以外に用意するという意味では同類である。【０００７】  間仕切りとしても使われる機会の多い、長手面の両側が利用可能な本棚だが、背板もしくは背板に準ずる部材によって全体が平面的に曲線を描くような形をつくることは特別な加工を要し、非常に困難である。このため、平面的なレイアウトに用いるのに限界がある。
【課題を解決するための手段】
【０００８】  本発明は側板（１）に対して２列の棚板（２）（３）が段違いに配置され、互いに互いの背板の役割をすることで垂直の背板を排除する。（図４参照）
【発明の効果】
【０００９】  長手面の両側が利用可能な本棚に、新たな類型（図４参照）として提供できる。【００１０】  背板がないため、視線や光や空気を極端に分節せずに配置できる。【００１１】  背板がないため、本の置き方によって本棚の両側の視線、光、空気を仕切る度合いが調節できる（図１１参照）。【００１２】  背板がないことで本棚を構成する材料も軽減できる。【００１３】  背板がないことで棚板を曲線的にカットするだけで平面的に曲線を描いた本棚を作ることも容易で、従来のように背板もしくはそれに準ずる部材を曲げる加工も必要ない（図７参照）。
【発明を実施するための最良の形態】
【００１４】  以下、本発明の実施の形態を図１〜図６に基づいて説明する。【００１５】  図２の断面図にしめすとおり、側板（１）に対して棚板（２）（３）を段違いに配置していく。この図では計７段であるが、棚板の数は製品によってバリエーションがあり得る。【００１６】  図４にしめすとおり、本を収納すると互いの棚板の小口面が書籍を受け止める。【００１７】  両側の本の触れ合うのを完全に防ぐために、図５にしめすとおり、両側の棚板の重複部分を設ける。【００１８】  棚板にかかる荷重に対して垂直方向に補強が必要な場合は、上記の棚板（２）（３）の重複部分（４）に鉄棒などを通して支える。（図６参照）
【産業上の利用可能性】
【００１９】  図４にしめすように、本発明を用いると、背板部材をもたないため、棚板を曲線状にカットしておくことで、本棚全体が平面的に曲線を描くことが容易に可能となる（図７参照）。図８〜図１０に示す従来の方法では、それぞれ背板にあたる部材を曲げる加工が必要となる。【００２０】  従来の背板の部材が必要ないため、従来の本棚よりも少ない部材数で制作できる。
【図面の簡単な説明】
【００２１】
【図１】  本発明の全体の三面図
【図２】  図１記載のＡＡ’間の断面図
【図３】  本発明の見取り図
【図４】  図２の断面図に、使用時の書籍を収納した状態
【図５】  図３の部分拡大図。
【図６】  補強する場合の鉄棒が入った図４の断面図。
【図７】  本棚全体が平面的に曲線を描く場合の見取り図。
【図８】  従来の本棚の短手断面図１
【図９】  従来の本棚の短手断面図２
【図１０】  従来の本棚の短手断面図３
【図１１】  従来の本棚（左）と本発明（右）の書籍収納時の正面図の比較
【符号の説明】
【００２２】  ［１］  側板
［２］  棚板Ａ
［３］  棚板Ｂ
［４］  棚板Ａ，Ｂの重複部分
［５］  背板の役割を担う棚板の小口面
［６］  補強する場合の鉄棒
［７］  従来の本棚の背板
［８］  従来の本棚の短い背板
［９］  従来の本棚の背板に準ずる部材（棒など）
【図１】
2009011762.tif 000003
【図２】
2009011762.tif 000004
【図３】
2009011762.tif 000005
【図４】
2009011762.tif 000006
【図５】
2009011762.tif 000007
【図６】
2009011762.tif 000008
【図７】
2009011762.tif 000009
【図８】
2009011762.tif 000010
【図９】
2009011762.tif 000011
【図１０】
2009011762.tif 000012
【図１１】
2009011762.tif 000013
(57)【要約】      （修正有）【課題】  鉄道等のレールの温度変化による伸縮を遮熱塗装等を施し、緩和させる行為および方法。【解決手段】  レールの外面１、２、３、４の箇所、および接続部、取付部その他付属物等に遮熱塗装等を施工する。  遮熱塗装等がレール外面の表面積の多くを覆うため、特に真夏の高温時に太陽の輻射熱等によるレール温度の急激な上昇を緩和することができ、保線巡回を軽減することができる。冬期も、外気の急激な温度低下によるレールとレールの間隔が開く状況を緩和し、列車の乗り心地を悪化の軽減ができる等を特徴とする。  併せて、防錆効果も期待できる。【選択図】図１
2009012000.tif 000002
【特許請求の範囲】
【請求項１】
鉄道等のレール（軌条）外面▲１▼、▲２▼、▲３▼、▲４▼及びレールの付属物等に温度変化による伸縮を緩和させる遮熱塗装、断熱塗装及びこれらに準ずること等を施す行為および方法。
【発明の詳細な説明】
【技術の分野】
【０００１】  この発明は、レールの夏期・冬期の温度変化による伸縮を緩和させる遮熱塗装等を施す行為及び方法に関するものである。
【背景技術】
【０００２】  従来、レールは夏期の高温時など伸張により湾曲し、列車の運行を妨げたり、冬期の厳寒時に、レールとレールの継ぎ目が開き、乗り心地を低下させたりすることがある。
【発明の開示】
【発明が解決しようとする課題】
【０００３】  これは、次のような問題があった。
従来、レールは寒暖の温度差で伸縮する。
レールは、夏期の高温時に太陽の輻射熱で膨張伸張し、湾曲し、列車の運行を妨げる状況を発生させることがある。冬期には収縮し、厳寒時にはレールとレールの継ぎ目間隔が広くなり、列車の乗り心地を悪くしたりする。そのため特に夏場、保線担当者等が規定の温度以上になると、保守のため毎回現場巡回に出なければならないが、距離が長い場合など多くの人数とかなりの時間を浪費する。本発明はレールのこれらの温度変化を緩和し、保線巡回の軽減を計るためになされたものである。
【課題を解決するための手段】
【０００４】  レールの外面▲１▼、▲２▼、▲３▼、▲４▼の箇所、および接続部、取付部その他付属物等に遮熱塗装等を施工する。
本発明は、以上の箇所に遮熱塗装等を施す行為および方法である。
【発明の効果】
【０００５】  遮熱塗料等がレール外面の表面積の多くを覆うため、特に真夏の高温時に太陽の輻射熱等によるレール温度の急激な上昇を緩和することができ、保線巡回を軽減することができる。冬期も、外気の急激な温度低下によるレールとレールの間隔が開く状況を緩和し、乗り心地の悪化を軽減することができる。
併せて、防錆効果も考えられる。
【発明を実施するための最良の形態】
【０００６】  以下、本発明を実施するための最良の方法について説明する。
施工方法  １．使用材料：  遮熱塗料、断熱塗料又はこれらに同様の機能を持つ材料。
２．素地調整：  サンドブラスト、ショットブラスト、ワイヤーホイール、                          ディスクサンダー、グラインダー、高圧洗浄機、ワイヤーブ                          ラシ、研磨ブラシ、ケレン棒など機械や手工具によるもの及                          び薬品などを用いた化成処理等によるもの等。
３．被覆方法：  上記１の材料を吹付塗装機、フローコーティング、どぶ付                          け、刷毛塗り、ローラーブラシ塗り、布拭き塗りなど機械塗                          り、手塗り又はこれらに準ずる行為により、レール外面及び                          付属物等を被覆する。
４．実施方法：  遮熱塗装等の被覆方法は、既に施設されているレールに関                          しては図２の列車、貨車、トロリー等の車両Ｄに下地処理装                          置Ａ、材料Ｂ、吹付塗装装置Ｃ等を設置して、走行しながら                          下地処理ａから吹付塗装ｃまで実施する方法が迅速であると                          思われる。また、作業状況により下地処理と吹付塗装を別々                          の車両で実施することも考えられる。これらの場合、▲２▼                          の面およびレール継ぎ目部ほかレール付属物が主な施工面と                          なる。
また、レールを工場、又は施設前に現場にてレールに被覆                          する場合も機械類を用いる作業が迅速であるが、飛散事故、                          少量施工の場合などは手作業による施工となることも考えら                          れる。
本発明は、以上のような方法である。
なお、事情により、素地調整を省略する場合もあると考えられるが、この場合遮熱塗装等とレール外面の付着性および遮熱、断熱効果が、素地調整を行った場合よりも劣ると思われることをあらかじめ考慮しておく必要がある。
また、レール上面▲１▼と▲２▼の線路内面側になる面は、列車の車輪が直接触れるため、被覆が無くなることをあらかじめ考慮しておかなければならない。
レールジョイント類、犬釘ほかレール付属物に単独で遮熱塗装等を被覆する場合は、レール取付時に工具等による傷、剥がれ等の発生も考慮に入れておく必要がある。
【図面の簡単な説明】
【０００７】
【図１】      本発明のレール断面図における遮熱塗装等の部位区分の説明である。
【図２】      車両に積載して下地処理から遮熱塗装等を実施する場合の方法である。
【符号の説明】
【０００８】
2009012000.tif 000003
▲４▼    レール端部（断  面）
Ａ    下地処理装置
Ｂ    材料（下地処理用、被覆塗装用）
Ｃ    吹付塗装装置
Ｄ    車両本体
Ｅ    レール
Ｆ    車輪
ａ    Ａの下地処理作業位置
ｃ    Ｃの吹付塗装作業位置
【図１】
2009012000.tif 000004
【図２】
2009012000.tif 000005
(57)【要約】【課題】  田畑や庭などに植えられた農作物を、モグラや鳥類による被害から防ぐことを目的とするモグラ及び鳥類撃退装置を提供する。【解決手段】  支柱（１）の上端に金属製の筒（２）を設け、抜けないように留め金（３）を取り付け、風が吹くたび金属製の筒（２）が揺らいで光を反射し、同時に金属製の筒（２）の底辺内側にある打撃部（４）が支柱（１）に当たる事によって、音と振動を発することを特徴とするモグラ及び鳥類撃退装置。【選択図】図１
2009011304.tif 000002
【特許請求の範囲】
【請求項１】
支柱（１）の上端に金属製の筒（２）を設け、抜けないように留め金（３）を取り付け、風が吹くたび金属製の筒（２）が揺らいで光を反射し、同時に金属製の筒（２）の底辺内側にある打撃部（４）が支柱（１）に当たる事によって、音と振動を発することを特徴とするモグラ及び鳥類撃退装置。
【発明の詳細な説明】
【技術分野】
【０００１】  本発明は、田畑や庭などに植えられた農作物をモグラや鳥類による被害から防ぐことを目的とする、モグラ及び鳥類撃退装置に関するものである。
【背景技術】
【０００２】  従来、田畑や庭などに植えられた農作物はモグラや鳥類によって荒らされ、これらからの被害を防止するには多大な労力が必要であった。
また、支柱の上に羽根車を設け、羽根車の回転によって生じる振動から撃退する発明が知られている（特許文献１）。
【特許文献１】特開２００１−８６０５号公報
【発明の開示】
【発明が解決しようとする課題】
【０００３】  そのために次のような問題点があった。
（イ）田畑や庭に植えられた農作物がモグラや鳥類によって荒らされ、多大な被害を被っていた。
（ロ）支柱の上に羽根車を設け羽根車の回転による振動で撃退する方法は、強風時には作動するが微風の際には羽根車は作動せず、あまり効果が期待できなかった。
本発明は、以上の問題点を解決するためになされたものである。
【課題を解決するための手段】
【０００４】  支柱（１）の上端に金属製の筒（２）を設け、抜けないように留め金（３）を取り付ける。風が吹くたび金属製の筒（２）が揺らいで光を反射し、同時に、金属製の筒（２）の底辺内側にある打撃部（４）が支柱（１）に当たることによって、音と振動を発する。以上を特徴とするモグラ及び鳥類撃退装置である。
【発明の効果】
【０００５】  簡単な構造で耐久性のある撃退装置により、モグラ及び鳥類による被害を受けなくなった。また、アルミなどの軽金属の使用により、微風でも光反射と音と振動を発生するため効果は絶大である。
【発明を実施するための最良の形態】
【０００６】  以下、本発明の実施の形態について説明する。
（イ）支柱（１）の上端に、アルミ等の軽金属によって作られた金属性の筒（２）を設ける。
（ロ）金属製の筒（２）の上面に穴を開け、留め金（３）により支柱（１）から抜けないように装着する。
（ハ）微風でも金属製の筒（２）が自在に揺らぐように留め金（３）は余裕を持って留める。
本発明は以上のような構造で、これを使用する時は支柱（１）の下端部を田畑や庭の地面に深く差し込む。微風でも金属製の筒（２）は揺らぎ、金属製の筒（２）の表面に当たる光を反射する。それと同時に金属製の筒（２）の底辺内側にある打撃部（４）が支柱（１）に当たることによって音を発し、その際に発生する振動は支柱（１）を介して地面に伝わる。鳥類は光の反射と金属製の筒から発する音を嫌い田畑や庭に近づかなくなり、モグラは地中に伝わる振動により撃退することができる。
【図面の簡単な説明】
【０００７】
【図１】本発明の斜視図
【図２】本発明の分解斜視図
【図３】本発明の断面図
【図４】本発明の使用状態を示す側面図
【符号の説明】
【０００８】  １    支柱
２    金属製の筒
３    留め金
４    打撃部
【図１】
2009011304.tif 000003
【図２】
2009011304.tif 000004
【図３】
2009011304.tif 000005
【図４】
2009011304.tif 000006